(57)【特許請求の範囲】
【請求項１】
角形容器の搬送経路と、これに沿い回転可能に支持され、放射方向に角形容器の脈動を吸収する衝撃吸収体に支持された多数の薄板を突設したロータリーストッパーとを備え、前記薄板を各角形容器と干渉させて、前記搬送経路上の角形容器の間隔を規制させることを特徴とする角形容器間隔調整装置。
【発明の詳細な説明】
【０００１】
【発明の属する技術分野】
本発明は、コンベア等による搬送経路に沿い角形容器が押せ押せ状態で連続して移送されてくる場合、該角形容器を等間隔にピッチ切りするための間隔調整を行う角形容器間隔調整装置に関するものである。
【０００２】
【従来の技術】
図７、図８に基づいて従来技術を説明する。
角形容器１間に割り込むガイドバー１８の形状は、容器間への割り込みに適した先端の鋭さと、後続容器の振動に耐える太さが必要とされている。
従って、ガイドバー１８の先端の接容器個所は先端付近の傾斜側面のため容器間に割り込む時、後続容器を押し戻す作用が生じる。そして、この押し戻し作用が振動となり、カム式等速スターホイールの必要性につながる。
この振動についてさらに詳細に説明する。図８に示すようにガイドバー１８の回転角度を３゜ごとに計測すると角形容器の進む距離はＭＡＸ７．５５７ｍｍでＭＩＮ５．３７６ｍｍになり、この結果変動幅は７．５５７−５．３７６＝２．１８１ｍｍという変動が生じる。これだけの変動があると、例えば給容器側に何個も容器が溜まっている時には脈動が起きて最終端容器が倒れることになる。このような容器間隔調整装置は存在している（例えば、実公平７−９８５４号公報参照）。
【０００３】
【発明が解決しようとする課題】
しかしながら、前記の従来技術においては、容器に接触するガイドバーに取り付けられた係合片であるツメが、角形容器に入り込む時に角形容器に脈動を起こす動きを生じさせるために倒容器を起こす。また、各角形容器の衝突音による騒音が大きくなり、しかも機構が複雑で、高能力、耐環境性が不安であるという問題があった。
【０００４】
また、既存の等速ロータリーストッパーを高能力にて使用するためには確動カム（溝カム）機構で追従性を確保しなければならない。したがって、機構の複雑さ、潤滑の問題などリンサー内部雰囲気にそぐわないという問題があった。
【０００５】
本発明は、これらの事情に鑑み、回転可能に支持され、放射方向に衝撃吸収体に支持された多数の薄板を突設したロータリーストッパーとを備え、前記薄板を各角形容器と干渉させて角形容器の間隔調整を行う角形容器間隔調整装置を提供することを目的とするものである。
【０００６】
【課題を解決するための手段】
本発明は、前記課題の解決を図るために、角形容器の搬送経路と、これに沿い回転可能に支持され、放射方向に角形容器の脈動を吸収する衝撃吸収体に支持された多数の薄板を突設したロータリーストッパーとを備え、前記薄板を各角形容器と干渉させて、前記搬送経路上の角形容器の間隔を規制させるという技術手段を採用した。
【０００７】
【発明の実施の形態】
本発明は、間隔調整装置で、ロータリーストッパーにおける薄板で５０％以上の脈動を低減し、さらに衝撃吸収体で薄板をサポートしていることにより脈動を限り無く少なくすることができるようにしたものである。該薄板はブレード（羽根）状の高強度薄板（例えば炭素繊維基材エポキシ樹脂積層板）にし、この薄板をサポートする衝撃吸収体として、例えば弾性ゴム等を採用することにより、しなりをもたせ、搬送経路上の角形容器の脈動（衝撃的流れ変化）を吸収することができるものである。
【０００８】
【実施例】
以下、本発明の１実施例を添付図面に基づいて詳細に説明する。
図１は、本発明の１実施例である角形容器間隔調整装置の概略平面図であり、図２は、図１の角形容器間隔調整装置の要部拡大平面図であり、図３は図２の正面図であり、図４は図２の角形容器間隔調整装置のロータリーストッパーの概略斜視図であり、図５は図４の衝撃吸収体と薄板の１つを取り出した構成の詳細を示す平面図である。
【０００９】
先ず、図１に基づいて、本発明の全体像を概略説明する。
角形容器１を一列に押せ押せ状態で移送する搬送装置２と、該搬送装置２の上面両側に配設された幅間隔を調節可能なガイド３で、角形容器１の移送に伴い、角形容器１を整列状態に保持案内する。
【００１０】
そして、押せ押せの整列状態で移送される角形容器１を等間隔に間隔調整するロータリーストッパー５を搬送装置２の側部に配設する。このロータリーストッパー５で等間隔にされた角形容器１をタイミングスクリュー４に受け渡すようにし、さらにスターホイール６に渡すようになっている。
【００１１】
ここで、前記ロータリーストッパー５の詳細を、図２〜図５に基づいて詳細に説明する。
ロータリーストッパー５は駆動軸７の軸端フランジ部８にボルト９で連結され、水平状態で回転駆動される下方の回転基板１０と、上方の回転基板１１の間に放射状に多数の薄板１２を取り付けた支持体１４を設けたものである。
【００１２】
上下の回転基板１１、１０間にスペーサ１５が固定されている。そしてスペーサ１５に弾性ゴム１３を介して支持体１４が、さらに弾性ゴム１３を介してプレート１６がこれらを一体的にボルト１７で締め付けている。さらに支持体１４に薄板１２が取り付けられている。
【００１３】
なお、支持体１４を省略して弾性ゴム１３間に直接薄板１２を支持させても良い。
前記ロータリーストッパー５の薄板（ブレード）１２は若干撓む炭素繊維基材エポキシ樹脂積層板等からなる高強度薄板で、この薄板１２を図５に示すように衝撃吸収する弾性ゴム１３等の弾性体を介して支持体１４に取り付けてあるため撓み分薄板１２が動くことになる。
【００１４】
尚、この装置をリンサー等に採用する場合は、耐水性、サニタリー性を考慮して、材質をステンレススチール材、及び合成樹脂材にて構成する。
【００１５】
そこで、本発明のロータリーストッパー５を用いた場合の角形容器の間隔調整において倒れを起こさないで確実に実行が行なわれることを図６に基づいて説明する。
角形容器１間に板厚１．２ｍｍの薄板１２を割り込ませて間隔調整すると後続容器を押し戻すが、押し戻し量は、ほぼ薄板１２の板厚となり影響は最小にできる。
しかも、押し戻し量が少ないので薄板１２及び弾性ゴム１３の可撓性により、実質的に押し戻し振動が発生しない。
【００１６】
図６からも理解できるように薄板１２を角形容器１間に割り込ませて、３゜ごとの角形容器１の進む距離は、ＭＡＸ６．９１３ｍｍ、ＭＩＮ５．８９４ｍｍになり、この結果、変動幅は６．９１３−５．８９４＝１．０１９ｍｍになり、これは従来のものの半分以下、言い換えれば薄板１２だけで５０％以上の脈動を低減できる上に、弾性ゴム１３で薄板１２をサポートすることにより脈動を限り無く少なくすることができる。
【００１７】
【発明の効果】
本発明は、以上の構成に基づき、次のような効果を得ることができる。
（１）角形容器を等間隔調整する際に容器の倒れを防止できる。
（２）脈動が吸収され容器同志の衝突がなくなるので騒音が低減できる。
（３）メンテナンスの容易化が可能である。
【図面の簡単な説明】
【図１】  本発明の一実施例である角形容器間隔調整装置を示す概略平明図である。
【図２】  前記実施例における角形容器間隔調整装置を示す要部拡大平面図である。
【図３】  図２における正面図である。
【図４】  図２における角形容器間隔調整装置のロータリーストッパーを示す概略斜視図である。
【図５】  図４の衝撃吸収体と薄板の１つを取り出した構成の詳細を示す平面図である。
【図６】  本発明の角形容器間隔調整装置の薄板により間隔調整した場合の角形容器の動きを示す概略平面図である。
【図７】  従来技術の容器間隔調整装置を示す概略平面図である。
【図８】  従来技術の容器間隔調整装置のガイドバーにより間隔調整した場合の角形容器の動きを示す概略平面図である。
【符号の説明】
１・・・・角形容器                      ２・・・・搬送装置
３・・・・ガイド                        ４・・・・タイミングスクリュー
５・・・・ロータリーストッパー          ６・・・・スターホイール
７・・・・駆動軸                        ８・・・・軸端フランジ
９・・・・ボルト                      １０・・・・下方の回転基板
１１・・・・上方の回転基板              １２・・・・薄板
１３・・・・弾性ゴム                    １４・・・・支持体
１５・・・・スペーサ                    １６・・・・プレート
１７・・・・ボルト                      １８・・・・ガイドバー
【図１】
0003702041.tif 000002
【図２】
0003702041.tif 000003
【図３】
0003702041.tif 000004
【図４】
0003702041.tif 000005
【図５】
0003702041.tif 000006
【図６】
0003702041.tif 000007
【図７】
0003702041.tif 000008
【図８】
0003702041.tif 000009